【手続補正書】
【提出日】平成29年7月21日(2017.7.21)
【手続補正１】
【補正対象書類名】特許請求の範囲
【補正対象項目名】全文
【補正方法】変更
【補正の内容】
【特許請求の範囲】
【請求項１】
ネットワークを介して装置のステータス情報を含むＷｅｂコンテンツを外部装置に提供するリモートアクセス機能を有する画像処理装置であって、
前記装置のステータス情報を含むＷｅｂコンテンツへのアクセス制限を行うためのパスワード情報を設定する第１の設定手段と、
前記画像処理装置のリソースを使用する部門を識別するための部門管理機能を有効にするか否かを設定する第２の設定手段と、
前記第２の設定手段により前記部門管理機能が有効に設定されていないことに少なくとも従って、前記Ｗｅｂコンテンツをリクエストした前記外部装置に前記リモートアクセス機能へアクセスするためのパスワードの入力を要求し、当該外部装置から受信した前記パスワードが、前記第１の設定手段で設定されたパスワード情報と一致するかどうかに基づき、前記ステータス情報を含むＷｅｂコンテンツへのアクセスを許可するか否かを制御し、
前記第２の設定手段により前記部門管理機能が有効に設定されていることに少なくとも従って、前記Ｗｅｂコンテンツをリクエストした前記外部装置に前記パスワードの入力を要求することなく、前記部門管理機能に関する認証情報の入力を要求し、前記外部装置から受信した前記認証情報に基づいて、前記ステータス情報を含むＷｅｂコンテンツへのアクセスを許可するか否かを制御するアクセス制御手段と、
前記アクセス制御手段によって前記ステータス情報を含むＷｅｂコンテンツへのアクセスが許可されたことに従って、前記リモートアクセス機能を提供する画面に対応するＷｅｂコンテンツを前記外部装置に提供する提供手段と、
を有し、
前記第２の設定手段で設定されるＷｅｂコンテンツへのアクセス制限を行うためのパスワード情報は、前記画像処理装置のリソースを使用するユーザや部門を識別するための情報との依存関係を有しない情報であることを特徴とする画像処理装置。
【請求項２】
前記部門管理機能が有効に設定された場合、少なくとも部門を識別するための部門ＩＤに基づき識別された部門ごとに前記画像処理装置が備える画像処理機能の実行権限を異ならせることが可能であり、前記識別された部門ごとに前記画像処理機能の利用実績をカウントすることが可能であることを特徴とする請求項１に記載の画像処理装置。
【請求項３】
前記パスワードによるＷｅｂコンテンツへのアクセス制限を行うか否かを設定する第３の設定手段を更に有し、
前記アクセス制御手段は、前記第２の設定手段によって、前記部門管理機能が有効に設定されていない場合であり、尚且つ、前記第３の設定手段によって前記パスワードによるＷｅｂコンテンツへのアクセス制限を行わないことが設定されていることに少なくとも従って、前記外部装置に対してアクセス制御に関する入力を要求することなしに、前記ステータス情報を含むWebコンテンツへのアクセスを許可することを特徴とする請求項１又は２に記載の画像処理装置。
【請求項４】
前記リモートアクセス機能を使用するか否かを設定する第４の設定手段を有し、
前記アクセス制御手段は、更に、前記第４の設定手段によって前記リモートアクセス機能を使用しないことが設定されていることに従って、前記外部装置から前記Ｗｅｂコンテンツのリクエストを受信した場合であっても、前記Ｗｅｂコンテンツへのアクセスを禁止するよう制御することを特徴とする請求項１乃至３のいずれか１項に記載の画像処理装置。
【請求項５】
前記アクセス制御手段が前記Ｗｅｂコンテンツへのアクセスを禁止するよう制御する場合、前記提供手段は、前記外部装置にエラーを示す情報を提供することを特徴とする請求項４に記載の画像処理装置。
【請求項６】
前記エラーを示す情報は、エラー画面に対応するＷｅｂコンテンツであることを特徴とする請求項５に記載の画像処理装置。
【請求項７】
前記画像処理装置は、プリンターであることを特徴とする請求項１乃至６のいずれか１項に記載の画像処理装置。
【請求項８】
前記リモートアクセス機能を提供する画面には、少なくとも前記画像処理装置のトナー残量を示す情報が含まれていることを特徴とする請求項７に記載の画像処理装置。
【請求項９】
前記提供手段が前記アクセス制御手段によって前記ステータス情報を含むＷｅｂコンテンツへのアクセスが許可されたことに従って提供するＷｅｂコンテンツは、前記リモートアクセス機能のトップ画面に対応するＷｅｂコンテンツであることを特徴とする請求項１乃至８のいずれか１項に記載の画像処理装置。
【請求項１０】
ネットワークを介して装置のステータス情報を含むＷｅｂコンテンツを外部装置に提供するリモートアクセス機能を有する画像処理装置の制御方法であって、
前記装置のステータス情報を含むＷｅｂコンテンツへのアクセス制限を行うためのパスワード情報を設定する第１の設定工程と、
前記画像処理装置のリソースを使用する部門を識別するための部門管理機能を有効にするか否かを設定する第２の設定工程と、
前記第２の設定工程で前記部門管理機能が有効に設定されていないことに少なくとも従って、前記Ｗｅｂコンテンツをリクエストした前記外部装置に前記リモートアクセス機能へアクセスするためのパスワードの入力を要求し、当該外部装置から受信した前記パスワードが、前記第１の設定工程において設定されたパスワード情報と一致するかどうかに基づき、前記ステータス情報を含むＷｅｂコンテンツへのアクセスを許可するか否かを制御し、
前記第２の設定工程で前記部門管理機能が有効に設定されていることに少なくとも従って、前記Ｗｅｂコンテンツをリクエストした前記外部装置に前記パスワードの入力を要求することなく、前記部門管理機能に関する認証情報の入力を要求し、前記外部装置から受信した前記認証情報に基づいて、前記ステータス情報を含むＷｅｂコンテンツへのアクセスを許可するか否かを制御するアクセス制御工程と、
前記アクセス制御工程で前記ステータス情報を含むＷｅｂコンテンツへのアクセスが許可されたことに従って、前記リモートアクセス機能を提供する画面に対応するＷｅｂコンテンツを前記外部装置に提供する提供工程と、
を有し、
前記Ｗｅｂコンテンツへのアクセス制限を行うためのパスワード情報は、前記画像処理装置のリソースを使用するユーザや部門を識別するための情報との依存関係を有しない情報であることを特徴とする画像処理装置の制御方法。
【請求項１１】
コンピュータを、請求項１乃至９のいずれか１項に記載された各手段として機能させるためのプログラム。
【手続補正２】
【補正対象書類名】明細書
【補正対象項目名】００１０
【補正方法】変更
【補正の内容】
【００１０】
本発明は、ネットワークを介して装置のステータス情報を含むＷｅｂコンテンツを外部装置に提供するリモートアクセス機能を有する画像処理装置であって、前記装置のステータス情報を含むＷｅｂコンテンツへのアクセス制限を行うためのパスワード情報を設定する第１の設定手段と、前記画像処理装置のリソースを使用する部門を識別するための部門管理機能を有効にするか否かを設定する第２の設定手段と、前記第２の設定手段により前記部門管理機能が有効に設定されていないことに少なくとも従って、前記Ｗｅｂコンテンツをリクエストした前記外部装置に前記リモートアクセス機能へアクセスするためのパスワードの入力を要求し、当該外部装置から受信した前記パスワードが、前記第１の設定手段で設定されたパスワード情報と一致するかどうかに基づき、前記ステータス情報を含むＷｅｂコンテンツへのアクセスを許可するか否かを制御し、前記第２の設定手段により前記部門管理機能が有効に設定されていることに少なくとも従って、前記Ｗｅｂコンテンツをリクエストした前記外部装置に前記パスワードの入力を要求することなく、前記部門管理機能に関する認証情報の入力を要求し、前記外部装置から受信した前記認証情報に基づいて、前記ステータス情報を含むＷｅｂコンテンツへのアクセスを許可するか否かを制御するアクセス制御手段と、前記アクセス制御手段によって前記ステータス情報を含むＷｅｂコンテンツへのアクセスが許可されたことに従って、前記リモートアクセス機能を提供する画面に対応するＷｅｂコンテンツを前記外部装置に提供する提供手段と、を有し、前記第２の設定手段で設定されるＷｅｂコンテンツへのアクセス制限を行うためのパスワード情報は、前記画像処理装置のリソースを使用するユーザや部門を識別するための情報との依存関係を有しない情報であることを特徴とする。
【手続補正３】
【補正対象書類名】明細書
【補正対象項目名】０００１
【補正方法】変更
【補正の内容】
【０００１】
本発明は、外部装置からアクセス可能な画像形成装置、画像形成装置の制御方法、及びプログラムに関する。
【手続補正４】
【補正対象書類名】明細書
【補正対象項目名】発明の名称
【補正方法】変更
【補正の内容】
【発明の名称】画像形成装置、画像形成装置の制御方法、及びプログラム